(57)【要約】    【課題】  構造を複雑化することなく簡単な方法で輝点の写りこみを解消し、高画質な画像読取りが可能な照明装置及びそれを用いた画像読取装置を得ること。    【解決手段】  原稿の画像情報を一方向でライン状に読み取る画像読取装置において用いられる原稿を照明するための照明装置であって、照明装置は複数の発光点が一方向に配列された光源手段と、複数の発光点から射出された光束を原稿に導光する反射光学部材を有し、反射光学部材は光源手段から射出された光束の一部を原稿側へ反射させ、他の一部を反射光学部材の内部へ入射させる入射面と、入射面から入射した光束を入射面側へ反射させる反射面とを有し、入射面あるいは前記反射面のうち、少なくとも一方の面には一方向にパワーを有し、光束を一方向に偏向させる複数の偏向部材が前記一方向に配列された偏向部材アレイが形成されていること。【選択図】    図１ａ
2010161536.tif 000002
【特許請求の範囲】
【請求項１】
原稿の画像情報を一方向でライン状に読み取る画像読取装置において用いられる前記原稿を照明するための照明装置であって、
前記照明装置は複数の発光点が前記一方向に配列された光源手段と、前記複数の発光点から射出された光束を前記原稿に導光する反射光学部材を有し、
前記反射光学部材は前記光源手段から射出された光束の一部を前記原稿側へ反射させ、他の一部を前記反射光学部材の内部へ入射させる入射面と、前記入射面から入射した光束を前記入射面側へ反射させる反射面とを有し、
前記入射面あるいは前記反射面のうち、少なくとも一方の面には前記一方向にパワーを有し、光束を前記一方向に偏向させる複数の偏向部材が前記一方向に配列された偏向部材アレイが形成されていることを特徴とする照明装置。
【請求項２】
前記反射光学部材の入射面は前記偏向部材アレイより形成されていることを特徴とする請求項１に記載の照明装置。
【請求項３】
前記反射光学部材の入射面は平面形状であり、前記反射光学部材の反射面は前記偏向部材アレイより形成されていることを特徴とする請求項１に記載の照明装置。
【請求項４】
前記偏向部材は前記一方向にパワーを有する凸又は凹のシリンドリカル形状より成ることを特徴とする請求項１、２又は３に記載の照明装置。
【請求項５】
前記偏向部材は前記一方向と該一方向と直交する方向に湾曲させたアナモフィック形状より成ることを特徴とする請求項１、２又は３に記載の照明装置。
【請求項６】
前記反射光学部材の付加形状は、任意の副走査位置における付加形状の面法線と該面法線を通る主走査方向の軸とで形成される平面での断面形状は、複数の副走査位置で異なっていることを特徴とする請求項１乃至４のいずれか１項に記載の照明装置。
【請求項７】
前記偏向部材アレイの複数の偏向部材は各々前記一方向で形状が異なっていることを特徴とする請求項１乃至５のいずれか１項に記載の照明装置。
【請求項８】
前記反射光学部材の反射面は内面反射による全反射を利用していることを特徴とする請求項１乃至７のいずれか１項に記載の照明装置。
【請求項９】
前記反射光学部材の反射面には金属膜あるいは誘電体蒸着膜が施工されていることを特徴とする請求項１乃至７のいずれか１項に記載の照明装置。
【請求項１０】
請求項１乃至９のいずれか１項に記載の照明装置で照明された原稿の画像情報を結像手段により読取手段に結像させ、該読取手段で前記原稿の画像情報を読み取るようにしたことを特徴とする画像読取装置。
【発明の詳細な説明】
【技術分野】
【０００１】
本発明は照明装置及びそれを用いた画像読取装置に関するものである。特にイメージスキャナーやデジタル複写機やファクシミリ等において、ラインセンサ（撮像素子）からの信号を用いてモノクロ画像やカラー画像等の画像情報を読み取る際に好適なものである。
【背景技術】
【０００２】
従来より、原稿面上の画像情報を読み取る画像読取装置（イメージスキャナー）として、フラットベット型のイメージスキャナーが種々と提案されている（特許文献１参照）。
【０００３】
フラットベッド型のイメージスキャナーでは、結像レンズとラインセンサ（ＣＣＤ）を固定し、光路中に設けた「ハの字」ミラーを含む複数の反射ミラーのみを移動させている。これによって原稿面をスリット露光走査して、画像情報を読み取る、所謂２：１ミラー走査方式を用いている。
【０００４】
また近年では、装置の構造の簡略化を図るため反射ミラー、結像レンズ、ラインセンサ等を一体化して原稿面を走査するキャリッジ一体型走査方式が多く採用されてきている。
【０００５】
図９に光源手段にＬＥＤアレイを用いたＡ４原稿サイズ用のキャリッジ一体型走査方式の画像読取装置の一例を示す。
【０００６】
同図においてはキャリッジ１１０内部で読み取られた原稿１００の画像情報の光束が複数のミラーＭ１１１〜Ｍ１１５を経由して結像手段１１４によりラインセンサ（ＣＣＤ）１１５上に結像される。そしてキャリッジ１１０を図示しない駆動モーターにより図９に示す矢印方向（副走査方向）に移動させることにより原稿１００の画像情報を読み取っている。
【０００７】
この際に採用されている原稿１００を照明する照明装置(照明系）１１１の光源手段１１３は、前述の白色ＬＥＤを主走査方向にアレイ状に並べたＬＥＤアレイである。
【０００８】
また、キャリッジ１１０においてはＬＥＤアレイ１１３から射出された光束を効率よく原稿１００に照射するための導光体１１２を採用している。
【先行技術文献】
【特許文献】
【０００９】
【特許文献１】特開平３−１１３９６１号公報
【発明の概要】
【発明が解決しようとする課題】
【００１０】
ところで光源にＬＥＤを採択し導光体で照明したときの課題として、輝点の写りこみが問題となる場合がある。
【００１１】
ここで輝点写り込みとは、光源であるＬＥＤの像が適度に拡散されずに点像のように光電変換素子（ＣＣＤ）上に写り込む現象のことである。
【００１２】
これを図１０に示した簡易的なモデル（画像読取装置）で説明する。
【００１３】
同図において原稿台ガラス１２１上の原稿（原稿面）１２０に対し照明装置の導光体１２３により光源手段１２２からの光束が原稿面１２０まで届く。このとき、原稿１２０が光沢のある紙やプラスチックなどの滑らかな表面を有するものの場合、照明装置の発光点からの直接光がちょうど鏡で反射されるように原稿面１２０で折り返される。
【００１４】
それが結像レンズ１２４で観察されると結像素子（ＣＣＤ）からなる結像面１２５まで到達し、画像の中で一部分明るい輝点となって写りこんでしまい、画質の劣化を招いてしまう原因となる。
【００１５】
導光体を用いた照明装置の場合、導光体内部、あるいは射出面などに拡散面を用意して拡散させることで発光点からの光束を拡散させながらも、拡散光を導光体内に閉じ込めながら伝播させることで、その拡散による光量の減少を最小限に食い止めることができる。
【００１６】
しかしながら、一方で通常反射光学部材のみを用いる照明装置の場合、金属ミラー等で表面反射されるのみであるので輝点が問題となった場合、導光体のような手法がとれない。
【００１７】
つまり導光体のように反射面表面で拡散させた場合、拡散後の光路を制御するものがないため、原稿へ向かう光束の方向をコントロールできず、読み取りラインへ照明に寄与する光束が大幅に減少してしまう。
【００１８】
また、不必要な方向へ向かった光束はフレアやゴーストの原因となる可能性があり、これを排除する構造の必要も出てくる。
【００１９】
本発明は構造を複雑化することなく簡単な方法で輝点の写りこみを解消し、高画質な画像読取りが可能な照明装置及びそれを用いた画像読取装置の提供を目的とする。
【課題を解決するための手段】
【００２０】
請求項１の発明の照明装置は、
原稿の画像情報を一方向でライン状に読み取る画像読取装置において用いられる前記原稿を照明するための照明装置であって、
前記照明装置は複数の発光点が前記一方向に配列された光源手段と、前記複数の発光点から射出された光束を前記原稿に導光する反射光学部材を有し、
前記反射光学部材は前記光源手段から射出された光束の一部を前記原稿側へ反射させ、他の一部を前記反射光学部材の内部へ入射させる入射面と、前記入射面から入射した光束を前記入射面側へ反射させる反射面とを有し、
前記入射面あるいは前記反射面のうち、少なくとも一方の面には前記一方向にパワーを有し、光束を前記一方向に偏向させる複数の偏向部材が前記一方向に配列された偏向部材アレイが形成されていることを特徴としている。
【００２１】
請求項２の発明は請求項１の発明において、
前記反射光学部材の入射面は前記偏向部材アレイより形成されていることを特徴としている。
【００２２】
請求項３の発明は請求項１の発明において、
前記反射光学部材の入射面は平面形状であり、前記反射光学部材の反射面は前記偏向部材アレイより形成されていることを特徴としている。
【００２３】
請求項４の発明は請求項１、２又は３の発明において、
前記偏向部材は前記一方向にパワーを有する凸又は凹のシリンドリカル形状より成ることを特徴としている。
【００２４】
請求項５の発明は請求項１、２又は３の発明において、
前記偏向部材は前記一方向と該一方向と直交する方向に湾曲させたアナモフィック形状より成ることを特徴としている。
【００２５】
請求項６の発明は請求項１乃至５のいずれか１項の発明において、
前記反射光学部材の付加形状は、任意の副走査位置における付加形状の面法線と該面法線を通る主走査方向の軸とで形成される平面での断面形状は、複数の副走査位置で異なっていることを特徴としている。
【００２６】
請求項７の発明は請求項１乃至５のいずれか１項の発明において、
前記偏向部材アレイの複数の偏向部材は各々前記一方向で形状が異なっていることを特徴としている。
【００２７】
請求項８の発明は請求項１乃至７のいずれか１項の発明において、
前記反射光学部材の反射面は内面反射による全反射を利用していることを特徴としている。
【００２８】
請求項９の発明は請求項１乃至７のいずれか１項の発明において、
前記反射光学部材の反射面には金属膜あるいは誘電体蒸着膜が施工されていることを特徴としている。
【００２９】
請求項１０の発明の画像読取装置は、
請求項１乃至９のいずれか１項に記載の照明装置で照明された原稿の画像情報を結像手段により読取手段に結像させ、該読取手段で前記原稿の画像情報を読み取るようにしたことを特徴としている。
【発明の効果】
【００３０】
本発明によれば構造を複雑化することなく簡単な方法で輝点の写りこみを解消し、高画質な画像読取りが可能な照明装置及びそれを用いた画像読取装置を達成することができる。
【図面の簡単な説明】
【００３１】
【図１ａ】本発明の実施例１の２：１ミラー走査方式の画像読取装置の要部概略図
【図１ｂ】本発明の実施例１のキャリッジタイプの画像読取装置の要部概略図
【図２】本発明の実施例１の反射光学部材と光源手段との配置を示す副走査断面図
【図３】本発明の実施例１の反射光学部材の偏向部材の概念を示す図
【図４ａ】本発明の実施例１の反射光学部材に施工されている偏向部材の主走査断面図
【図４ｂ】本発明の実施例１の反射光学部材に施工されている偏向部材の副走査断面図
【図５】本発明の実施例２の反射光学部材を説明する図
【図６】本発明の実施例３の反射光学部材に主走査方向で曲率が異なった偏向部材が配置されていることを示す図
【図７】本発明の実施例４の反射光学部材を説明する図
【図８】本発明の実施例４の反射光学部材を説明する図図
【図９】従来の導光体を用いた照明装置と搭載したキャリッジ走査系を示した図
【図１０】発光点が原稿からの正反射で結像面へ達することを説明する図
【発明を実施するための形態】
【００３２】
本発明の照明装置は、複数の発光点が前記一方向に配列された光源手段と、複数の発光点から射出された光束を原稿に導光する反射光学部材を有している。
【００３３】
反射光学部材は光源手段から射出された光束の一部を原稿側へ反射させ、他の一部を反射光学部材の内部へ入射させる入射面と、入射面から入射した光束を入射面側へ反射させる反射面とを有している。
【００３４】
そして入射面あるいは反射面のうち、少なくとも一方の面には一方向にパワーを有し、光束を一方向に偏向させる複数の偏向部材が一方向に配列された偏向部材アレイが形成されている。
【００３５】
以下、図面を用いて本発明の実施例を説明する。
【実施例１】
【００３６】
図１ａは本発明の実施例１の２：１ミラー走査方式の画像読取装置の要部概略図である。
【００３７】
なお、以下の説明は、便宜上図１ａに示した２：１ミラー走査方式の画像読取装置を用いて行なうが、これに限らず、例えば前述のキャリッジ一体型走査方式の画像読取装置においても本発明は２：１ミラー走査方式と同様に適用することができる。図１ｂにキャリッジ一体型走査方式の画像読取装置の要部概略図を示す。
【００３８】
また、同様に本実施例では結像手段（結像光学系）としてレンズで構成された結像レンズを用いて説明を行なうが、これに限らず、例えば反射光学系により構成された結像手段であっても構わない。
【００３９】
また、以下の説明において、光電変換素子（ＣＣＤ）で画像を読み取る方向を主走査方向（Ｙ方向）、結像手段の光軸（Ｚ方向）と主走査方向を含む面を主走査断面（ＹＺ面）とする。また主走査方向に直交し、画像を読み取る方向を副走査方向（Ｘ方向）、主走査断面（ＹＺ面）と直交する断面を副走査断面（ＸＺ面）とする。
【００４０】
図中、１は画像読取装置である。２は原稿台（原稿ガラス台）であり、原稿(原稿面）３を載置している。１０は圧板であり、原稿３を上から覆うことで原稿３を固定している。
【００４１】
８は本発明に関わる照明装置(照明系）であり、複数の発光点（ＬＥＤ）が一方向（主走査方向）に配列された光源手段（ＬＥＤアレイ）８ａと、複数の発光点（ＬＥＤ）から射出された光束を原稿３に導光する反射光学部材８ｂとを有している。
【００４２】
本実施例における反射光学部材８ｂは後述するように入射面と反射面を有し、透明な光学樹脂により形成されている。
【００４３】
Ｍ１、Ｍ２、Ｍ３は各々順に走査用の第１、第２、第３のミラーであり、原稿面３からの画像情報に基づく光束を後述する結像手段６に導いている。
【００４４】
４は第１ミラー台であり、照明装置８と第１のミラーＭ１が搭載されている。５は第２ミラー台であり、９０度の角度を成して構成される第２、第３のミラーＭ２、Ｍ３がハの字（ハの字ミラー）に搭載されている。
【００４５】
第１ミラー台４及び第２ミラー台５は不図示の駆動系により、第１ミラー台４の副走査方向の移動量と第２ミラー台５の副走査方向の移動量が２：１の比に設定されており、所謂２：１ミラー走査方式で構成されている。
【００４６】
６は結像手段(結像光学系）としての結像レンズであり、原稿３の画像情報を一定の倍率で縮小して後述する読取手段７面上に結像させている。
【００４７】
７は読取手段であり、ＲＧＢ読取用の３つのラインセンサ（ＣＣＤ）が主走査方向へ伸びた３ラインセンサより成っている。読取手段７は一度の読み取りでＲＧＢ３箇所での主走査方向の読み取りが行われ、不図示の処理回路で場所や時間的ずれが補正されて、一つの読み取りラインとしての情報へと変換される。
【００４８】
９は白色基準板（シェーディング板）であり、適性なる光量、主走査方向の光量均一性を得る他、色味の基準としての役割も果たしている。本実施例において原稿面ガラス２上の原稿３を読み取る際には、まず読み取り位置を上記白色基準板９の直下へ第１ミラー台４を配置している。Ｌａは光軸である。
【００４９】
次に原稿３の画像情報を読取手段(３ラインセンサ）７で読み取る際の一連の読取動作について説明する。
【００５０】
本実施例では、まず白色基準板９を結像手段６を通して読取手段７に読み取らせ、不図示の処理回路を通して記憶手段へと情報を送って記憶させ、原稿３を読み取る際の基準を得る。そして白色基準板９を読み取ったあと、第２ミラー台５が第１ミラー台４を追従する形で原稿３を副走査方向（図中矢印方向）へ走査をはじめる。
【００５１】
原稿２は第１ミラー台４に搭載されている照明装置８により照明され、各ミラーＭ１、Ｍ２、Ｍ３と結像手段６を通して読み取り位置での画像情報が読取手段７へと順次送られる。そして読取手段７により原稿３の画像情報を一方向でライン状の読み取りが行われる。
【００５２】
次に図２、図３を用いて本発明に関わる照明装置８の構成及び反射光学部材８ｂの形状及び光学的作用について説明する。
【００５３】
図２は本実施例による反射光学部材と光源手段の配置を示す副走査方向の要部断面図（副走査断面図）である。図３は本実施例による反射光学部材の偏向部材の概念を示す図である。図２、図３において図１に示した要素と同一要素には同符番を付している。
【００５４】
本実施例の光源手段８ａは、複数のＬＥＤ（白色ＬＥＤ）８ａａを紙面に対して垂直方向（Ｙ方向）に所定間隔で配列したＬＥＤアレイ(光源アレイ）より成っており、基板８ａｂ上に実装されている。
【００５５】
ここで使用している白色ＬＥＤ８ａａは、サイドビュータイプと呼ばれる基板８ａｂ側の面方向から光束を射出するタイプを採用している。尚、本実施例に使用する白色ＬＥＤ８ａａとしてはこれに限定されず、基板８ａｂ上方へ光束を射出するトップビュータイプでも構わない。
【００５６】
本実施例の反射光学部材８ｂは、基板８ａｂに対向する形で適正な間隔で少し置いて配置され、この反射光学部材８ｂにより偏向された光束が原稿面の読み取り位置周辺に射出される。
【００５７】
反射光学部材８ｂは光源手段８ａから射出された光束の一部を原稿３側へ反射させ、他の一部を反射光学部材８ｂの内部へ入射させる入射面８ｂ−ａと、該入射面８ｂ−ａから入射した光束を入射面８ｂ−ａ側へ反射させる反射面８ｂ−ｂとを有している。
【００５８】
また反射光学部材８ｂは入射面８ｂ−ａあるいは反射面８ｂ−ｂのうち、少なくとも一方の面には一方向（Ｙ方向）にパワーを有し、光束を一方向に偏向させる複数の偏向部材８ｂ−ａｒが一方向に一定間隔で配列された偏向部材アレイ８ｂ−ｒが形成されている。
【００５９】
本実施例では反射光学部材８ｂの入射面８ｂ−ａが偏向部材アレイ８ｂ−ｒより形成されている。
【００６０】
図３の反射光学部材８ｂの形状は、該反射光学部材８ｂの入射面８ｂ−ａを原稿台ガラス(不図示）に対向したときの状態で示している。図３において主走査方向はＹ方向、副走査方向はＸ方向となる。
【００６１】
本実施例における反射光学部材８ｂの偏向部材８ｂ−ａｒは、一方向（Ｙ方向）に凸（正）のパワーのあるシリンドリカル形状より成り、該シリンドリカル形状を副走査方向（Ｙ方向と直交するＸ方向）に湾曲させたアナモフィック形状より成っている。
【００６２】
また、本実施例の反射光学部材８ｂは、副走査方向（Ｘ方向）に緩い凹面形状より成っている。
【００６３】
尚、本実施例では偏向部材８ｂ−ａｒを主走査方向にパワーを有する凸のシリンドリカル形状より形成したが、これに限らず、凹（負）のシリンドリカル形状で形成しても良い。
【００６４】
図４ａは本実施例の反射光学部材に施工されている偏向部材の主走査方向の要部断面図（主走査断面図）である。図４ｂは本実施例の反射光学部材に施工されている偏向部材の副走査断面図である。図４ａ、図４ｂにおいて図２、図３に示した要素と同一要素には同符番を付している。
【００６５】
本実施例の偏向部材８ｂ−ａｒは、図４ａ、図４ｂに示すように、主走査方向に曲率を持ち、副走査方向に曲率が一定な、所謂シリンドリカル形状より成り、白色ＬＥＤ８ａａからの光束を主走査方向へ拡散する光学的作用を有している。
【００６６】
光源手段である白色ＬＥＤ８ａａから射出された光束は、反射光学部材８ｂの入射面８ｂ−ａで一部の光束が原稿側へ反射され、その凹面形状によって副走査方向へ光束が収束されながら原稿面を照射する。
【００６７】
また一方で入射面８ｂ−ａを通過した光束は、一部がそのまま反射光学部材８ｂの内部の反射面８ｂ−ｂに到達する。また偏向部材８ｂ−ａｒに入射した光束は、主走査方向に折り曲げられて、やはり反射面８ｂ−ｂに到達する。
【００６８】
ここで反射光学部材８ｂの反射面８ｂ−ｂにおいては、到達した光束の内面反射による全反射を利用している。
【００６９】
そして反射面８ｂ−ｂに到達した光束は、反射光学部材８ｂの緩やかな凹面形状によって副走査方向へ収束しながら再度入射面８ｂ−ａへと折り返される。
【００７０】
尚、反射面８ｂ−ｂは全反射による反射により折り返されるようにしているが、アルミ等の金属反射面（金属膜）や他の誘電体蒸着膜等により構成することでも構わない。
【００７１】
そして反射面８ｂ−ｂで反射され、再度入射面８ｂ−ａへ到達した光束は、更にその一部が表面に設けた偏向部材８ｂ−ａｒのシリンドリカル形状により主走査方向に折り曲げられ、他の光束はそのまま通過する。ただし、光学的屈折は行われる。
【００７２】
このように反射光学部材８ｂの入射面８ｂ−ａに複数の偏向部材８ｂ−ａｒを設けることで、光束の分散性、拡散性が向上し、輝点写りこみの原因である白色ＬＥＤからの光束の主光線を程よく分散させることができる。
【００７３】
また、光束は主走査方向には偏向部材８ｂ−ａｒにより大きく分散され、一方、副走査方向には凹面形状によって収束気味に原稿面上に到達するため、無駄なく光束を利用でき、効率的な照明が行なえる。
【００７４】
また、白色ＬＥＤ８ａａからの光束を効率的に拡散させることができるばかりでなく、光量の主走査方向及び副走査方向への振り分けをも可能にすることができるため、高画質な画像読取装置を提供することができる。
【００７５】
また、従来の照明装置と大きく変わらない簡単な構造で高性能な照明装置を構成することができる。
【実施例２】
【００７６】
図５は本発明の実施例２の反射光学部材の要部斜視図である。同図において図３に示した要素と同一要素には同符番を付している。
【００７７】
本実施例において先述の実施例１と異なる点は、以下の如くである。つまり反射光学部材２８ｂの付加形状は、ある任意の主走査位置において、ある副走査位置における２８−aｒの面法線とその面法線を通る主走査方向の軸とで形成される平面の断面形状が、同一主走査位置における別の副走査位置では異ならせている。
【００７８】
前記実施例１の図２において白色ＬＥＤ８ａａから射出した光束は入射面８ｂ−ａを通過したあと、反射面８ｂ−ｂで偏向反射し、再び入射面８ｂ−ａに戻り射出される。このとき、光束は反射面８ｂ−ｂに対して斜入射しているため、入射時と射出時で通過する面上の位置が異なっている。この差異を利用すると本実施例の反射光学部材２８ｂは一つの単レンズと考えられ、図５に示すように同面を２回通過する時の曲率をそれぞれ異ならせることで面の自由度が２倍に増すことになる。つまり、曲率の異なる両面が非球面レンズとしての作用である。この２面の合成のパワーとして考えれば、より照射する分布が良好にできる。また、別の観点からもこの面の効果が考えられる。
【００７９】
前記図２において白色ＬＥＤ８ａａからの光束を反射偏向させる際、当然光束には光束幅があるので反射光学部材８ｂの図の上方付近から射出する光束や図の下方から射出する光束がある。
【００８０】
ここで射出後の原稿面３までの距離を考えると反射光学部材８ｂの図の下方から射出された光束の方が、上方から射出された光束より原稿面３までの距離が遠い（長い）ことが分かる。同じ拡がり角で進んだ場合、原稿面３までの距離の遠い方が拡がってしまうのは当然であり、これは読み取り位置での副走査方向の上流側と下流側とで光束の収束具合が異なることを意味する。
【００８１】
この差を解消するため、本実施例では図５に示すように偏向部材２８ｂ−ａｒを副走査方向(Ｘ方向）で異なる形状にしている。
【００８２】
具体的には原稿台ガラスに近い方の偏向部材２８ｂ−ａｒの断面の曲率半径をＲａ、中央部の曲率半径をＲａ０とする。さらに原稿台ガラス２より遠い方の偏向部材２８ｂ−ａｒの断面の曲率半径をＲｂ、中央部の曲率半径をＲｂ０とする。このとき、
Ｒｂ＜Ｒａ
Ｒｂ０＜Ｒａ０
である。
【００８３】
また、偏向部材２８ｂ−ａｒの一方向(主走査方向）の中央部の曲率半径Ｒａ０と、端部の曲率半径Ｒａとは異なっている。つまり、
Ｒａ０≠Ｒａ
Ｒｂ０≠Ｒｂ
である。
【００８４】
このように本実施例では上述した如く偏向部材２８ｂ−ａｒを、その面法線と主走査方向とで形成される平面（ＹＺ面）内の形状と、該平面と平行の他の平面内の形状を異ならせて形成している。これにより本実施例では副走査方向での収束度合いの違いから照度ムラになることを防いでいる。
【００８５】
以上述べたように本実施例においては、面形状の自由度アップによる照度分布の向上及び副走査方向の照度ムラの改善などに効果がある。
【実施例３】
【００８６】
図６(A),(B),(C)は各々本発明の実施例３の反射光学部材の主走査断面図である。図６(A),(C)は各々偏向部材アレイ３８ｂ−ｒの主走査方向のうちの各々の端部の正面図、図６(B)は主走査方向の中央部(光軸を含む）の正面図である。同図(A),(B),(C)において図２に示した要素と同一要素には同符番を付している。
【００８７】
本実施例において、前述の実施例１と異なる点は、偏向部材アレイ３８ｂ−ｒの複数の偏向部材３８ｂ−ａｒを各々主走査方向（Ｙ方向）と副走査方向（Ｘ方向）とで形状を異ならせて形成したことである。その他の構成及び光学的作用は実施例１と同様であり、これにより同様な効果を得ている。
【００８８】
つまり、図６(A),(B),(C)において、３８ｂは反射光学部材であり、偏向部材アレイ３８ｂ−ｒの複数の偏向部材３８ｂ−ａｒを各々主走査方向（Ｙ方向）と副走査方向（Ｘ方向）とで形状を異ならせて形成している。
【００８９】
前述した実施例２においては副走査方向の照度ムラを解消する効果などとして用いたが、本実施例においては実施例２を用いて主走査方向の分布にも応用している。
【００９０】
本実施例においては図６(A),(B),(C)から分かるように主走査方向の両端部においては偏向部材３８ｂ−ａｒの曲率が副走査方向(Ｘ方向）で変化しているが、中央部では偏向部材３８ｂ−ａｒの曲率が副走査方向で同率として形成している。
【００９１】
これは両端部の光量を中央部に比べてアップさせたいときの構成である。つまり、中央部に対して両端部の集光度を上げることで両端部の光量をアップすることができる。こうすることで、例えば読み取り用の結像レンズの画角特性（周辺減光）に対応することができる。
【００９２】
尚、主走査方向に複数配置した偏向部材３８ｂ−ａｒは、主走査方向の中央部から両端部にかけて曲率具合をだんだん変化させていくことで構成しても良い。あるいは主走査方向をいくつかのブロックに分けて、ブロックごとに曲率設定を行ってもよい。
【００９３】
また、主走査方向のみ形状を異ならせても良い。
【００９４】
本実施例はＬＥＤアレイを光源手段に設定した照明装置ばかりではなく、例えば冷陰極管を光源手段に据えた場合の主走査方向の光量の左右差を解消するために、左右で前記偏向部材の形状を適切に異ならせることで対応することができる。
【実施例４】
【００９５】
図７は本発明の実施例４の反射光学部材の要部斜視図である。同図において図２に示した要素と同一要素には同符番を付している。
【００９６】
本実施例において、前述の実施例１と異なる点は、反射光学部材４８ｂの入射面４８ｂ−ａを平面形状で形成し、反射面４８ｂ−ｂを偏向部材アレイ４８ｂ−ｒより形成しことである。その他の構成及び光学的作用は実施例１と同様であり、これにより同様な効果を得ている。
【００９７】
つまり、図７において、４８ｂは反射光学部材であり、その入射面４８ｂ−ａが平面形状で形成され、反射面４８ｂ−ｂが偏向部材アレイ４８ｂ−ｒより形成されている。
【００９８】
本実施例の反射光学部材４８ｂの複数の偏向部材４８ｂ−ａｒは、それぞれ主走査方向（Ｙ方向）にパワーを有する凸（正）のシリンドリカル形状より成っている。
【００９９】
このような形状で構成すれば、成型加工も更に容易であり、部材を筐体に配置する場合でも、平面であるがゆえに抑えやすく構造も簡略化される。
【０１００】
本実施例においては光束の光路上のシリンドリカル形状が一面となるが、入射側の平面と射出側のシリンドリカル形状を副走査方向に傾かせて偏芯させておくことで、射出時の平面での射出角度が入射時と異ならせることができる。これにより、拡散の効果を向上させることができる。
【０１０１】
これはまた、図８に示すように偏向部材４８ｂ−ａｒを主走査方向にパワーを有する凹（負）のシリンドリカル形状で形成しても同様の効果が得られる。よって、利用しやすい方の偏向部材を選択して採用すればよい。
【符号の説明】
【０１０２】
１  画像読取装置
Ｍ１〜Ｍ３  ミラー
２  原稿台ガラス
３  原稿
４  第１ミラー台
５  第２ミラー台
６  結像手段
７  受光手段（ＣＣＤ）
８  照明装置
８ａ  光源手段
８ｂ  反射光学部材
９  白色基準板
８ａｂ  基板
８ａａ  ＬＥＤアレイ
８ｂ−ａｒ、２８ｂ−ａｒ、３８ｂ−ａｒ、４８ｂ−ａｒ  偏向部材
８ｂ−ｒ、２８ｂ−ｒ、３８ｂ−ｒ、４８ｂ−ｒ  偏向部材アレイ
【図１ａ】
2010161536.tif 000003
【図１ｂ】
2010161536.tif 000004
【図２】
2010161536.tif 000005
【図３】
2010161536.tif 000006
【図４ａ】
2010161536.tif 000007
【図４ｂ】
2010161536.tif 000008
【図５】
2010161536.tif 000009
【図６】
2010161536.tif 000010
【図７】
2010161536.tif 000011
【図８】
2010161536.tif 000012
【図９】
2010161536.tif 000013
【図１０】
2010161536.tif 000014